(57)【要約】      （修正有）【課題】床上から操作し、安全に安心して壁際の天井に設置されたピクチャーレールから展示品吊り下げ具を着脱して省力化する操作棒を提供する。【解決手段】操作棒は、ホルダー棒８とハンガー棒１３を有し、ホルダー棒とハンガー棒の両操作棒を互いに操作し、専用フックや吊り輪付きワイヤーロープ１６及びロックフック１７を繋いだ展示品吊下げ具をピクチャーレール１８から着脱する。ハンガー棒は専用フックの係合片１４ａをハンガー９の掴み枠１０で掴んで押さえ、係合片の動きを止める機能を有し、ホルダー棒はホールド部２の内面に布設した硬質ゴム３の弾力性を利用して、専用フックのナット１４ｂを回す機能により、ピクチャーレールから展示品吊下げ具を容易に着脱できる。【選択図】図２
0003231400.tif 000002
【実用新案登録請求の範囲】
【請求項１】
壁際の天井に設置されたピクチャーレールを吊元にして、本考案のホルダー棒とハンガー棒を床上から操作し、ピクチャーレールから展示品吊下げ具を着脱するものであり、ホルダー棒は、予め専用フックや吊り輪付きワイヤーロープ及びロックフックからなる展示品吊下げ具を繋いだままホールド部に挿入し、ホールド部内面に布設した硬質ゴムの弾力性で、専用フックのナットを締付けてホールド部に保持し、専用フックの係合片とナットの隙間を５ミリメール程開け、フック先端を見ながら、専用フックの係合片を手で摘み１８０度右回転し係合片を摘み上げ、フック先端が上部に布設された軟質ゴムの弾力性によりフックと共に係合片の動きを止める等の準備後に当棒を持ち上げ、ピクチャーレールの開口部に色表示を側面にして係合片を挿入し、当棒を９０度回し色表示を正面に戻し、ピクチャーレールに係合片の治まりを確認後、当棒をピクチャーレールに吊下げて置く等の特徴を有する展示品吊下げ具の着脱操作棒。
【請求項２】
ハンガー棒は、ピクチャーレールに専用フックを装着する際に、ハンガーの掴み枠で係合片を掴み、ホルダー棒による専用フックのナットの締付け操作を確実にするものであり、ハンガーの支持片をピクチャーレールの開口部に沿わせて小巾側から挿入し、９０度回して支持片を保持後にハンガーの掴み枠を挿入し、ピクチャーレール内の天板に沿って滑らせ、ピクチャーレールに吊下げているホルダー棒のホルダーに接触させると、位置決めバーと位置決め片により掴み枠が係合片を掴む構成であり、当棒の下端には錘を設け、当棒の中心から支持片までの間隔より掴み枠までの間隔が短くして掴み枠側に重量が掛り易く、当棒から手を放しても、ホルダー棒による専用フックのナットは締付けられるが、当棒を左手で持って引き下げ、右手でホルダー棒を持って回せば、ナットの締付け操作は確実であり、専用フックの装着後はフック尖端をホルダー開口部に通してホルダー棒を引抜き、ハンガー棒は掴み枠と支持片を挿入時と逆の操作でピクチャーレールから取外す等による、ホルダー棒とハンガー棒の相互の操作を特徴とする展示品吊下げ具の着脱操作棒。
【考案の詳細な説明】
【技術分野】
【０００１】
本考案は、壁際の天井に設置されたピクチャーレールを吊元にして、専用フックや吊り輪付きワイヤーロープ及びロックフックからなる展示品吊下げ具を繋いだまま、ピクチャーレールから着脱する操作棒に関するものである。
【背景技術】
【０００２】
絵画や写真等を展示する市民ギャラリーは、壁際の天井に設置されたピクチャーレールに、前述の展示品吊下げ具を使用した展示が見られる。市民ギャラリーは吊下げ具を要しない陶芸他の展示もあり、展示物が頻繁に入替る状況であり。吊下げ具を使用する場合は、展示開始前及び終了後に展示品吊下げ具の着脱作業が不可欠である。吊下げ具の先行技術は文献 によると、ピクチャーレールに専用フックを安定的に装着させたり、専用フックの着脱を容易にするものがある。
【先行技術文献】
【特許文献】
【０００３】
【特許文献１】特開平８−１５４７９４号公報
【非特許文献】
【０００４】
【非特許文献１】タキヤ株式会社  CＡフック  タキヤＷｅｂカタログ ｐ.３
【考案の概要】
【考案が解決しようとする課題】
【０００５】
ピクチャーレールから展示品吊下げ具を着脱する作業は、高所により脚立を使用しているが、脚立上での不安定な作業に加え、昇り降りや移動を伴い労力の負担が大きい。市民ギャラリーは展示品が頻繁に入替り、その都度展示作業を伴うため、これに係わる労力の負担を軽減し、安全に安心して作業できる環境にしたい。
【課題を解決するための手段】
【０００６】
上記の課題を解決するため本考案は、ピクチャーレールから展示品吊下げ具を着脱する際、床上から主操作棒であるホルダー棒と補助操作棒であるハンガー棒を互いに操作して着脱する。
【０００７】
ホルダー棒には、操作前に次の準備が必要である。先ず専用フックにワイヤーロープの吊り輪を掛け、ホールド部の先端から専用フックを差し込んでワイヤーロープをホルダー開口部より挿入する。ホールド部は、内面に布設した硬質ゴムの弾力性により、挿入された専用フックのナットを握り締めてナットを回す機能を有する。次に係合片を掴み１８０度右回転し、のぞき窓でフック先端がホルダーの色表示の下に在るのを確かめて係合片を持ち上げると、布設した軟質ゴムによりフック先端が静止し、係合片の動きが止まる。此の処置によりピクチャーレールに係合片を挿入後、円滑に操作できる。
【０００８】
ホルダーに展示品吊下げ具を挿入後は、ホルダー棒を持ち上げ、ホルダーの色表示を横にして専用フックの係合片をピクチャーレールの開口部に沿って挿入し、当棒を９０度回し色表示を正面に戻す。当棒を指先で左右に少回転し、ピクチャーレールに係合片の治まりを確認する。此の時点で専用フックのナットを回して係合片がピクチャーレールに装着できれば良いが、係合片の治まりが外れる場合があるため、ハンガー棒に依る補助操作が必要である。
【０００９】
ハンガー棒は、専用フックの係合片をハンガーの掴み枠で掴み、係合片の動きを止める機能を有し、専用フックのナットの締付け時の空回りを防いで、ピクチャーレールに専用フックを確実に装着できる構成である。当棒の下端には錘を設け、当棒の中心から支持片までの寸法より掴み枠までの寸法を短くして、掴み枠に重量が掛け易い構造である。
【００１０】
ハンガーの掴み枠で係合片を掴んだ後、ホルダー棒を回すと専用フックのナットの締付けにより、係合片がピクチャーレールに装着される。此の時ハンガー棒から手を放してもできるが、ハンガー棒を左手で引っ張りながら右手でホルダー棒を回すと、確実に装着できる。
【考案の効果】
【００１１】
市民ギャラリーに於いて、展示品吊下げ具を使用する作品の展示作業は、脚立を使用するため労力の負担が大きい。考案したホルダー棒とハンガー棒を床上から操作して、展示品吊下げ具をピクチャーレールから着脱すれば、作業性が向上し労力の軽減が図れるため、バランス感覚が鈍って来る高齢者も安心して展示作業ができる。
【図面の簡単な説明】
【００１２】
【図１】本考案のホルダー棒とハンガー棒で、ピクチャーレールに吊下げ具を装着する途中の実施形態を示す正面図。
【図２】本考案のホルダー棒とハンガー棒で、ピクチャーレールに吊下げ具の装着を終え、両操作棒を取外す時点の実施形態を示す正面図。
【図３】本考案の主操作棒であるホルダー棒の斜視図。
【図４】本考案の補助操作棒であるハンガー棒の斜視図。
【図５】ホルダー棒の実施形態を示す斜視図。
【図６】ハンガー棒の実施形態を示す斜視図。
【図７】吊り輪付ワイヤーロープを掛けた専用フックの構造を示す側面図と正面図。
【図８】掴み枠周辺の構造を示す正面図と側面図。
【図９】支持片の構造を示す側面図と正面図。
【図１０】ピクチャーレールに装着した展示品吊り下げ具の側面図。
【考案を実施するための形態】
【００１３】
図１は、本考案の主操作棒であるホルダー棒２と補助操作棒であるハンガー棒１３を操作して、吊元のピクチャーレール１８に展示品吊下げ具を装着中の実施形態を示す。ホルダー棒２は後述する操作前の準備で、展示品吊下げ具をホルダー１に挿入後、ピクチャーレール１８に専用フック１４の係合片１４aを挿入し、専用フック１４を正面に向けた処である。ハンガー棒１３は後述する操作でハンガー９の支持片１２aと掴み枠１０をピクチャーレール１８の開口部に挿入し、掴み枠１０で専用フック１４の係合片１４aを掴んだ処であり、両操作棒共に手を放した状態である。
【００１４】
図２は、本考案の両操作棒を操作してピクチャーレール１８に展示品吊下げ具を装着し、両操作棒を取外す直前の実施形態を示している。前記からの操作手順は、ホルダー棒２を５回程右に回すと、専用フック１４のナット１４bが回り、専用フック１４の係合片１４aがピクチャーレール１８を挟んで締付けられ、専用フック１４がピクチャーレール１８に装着される。装着後はホルダー棒２を横に振って専用フック１４の緩みを確認する。緩みが無ければホルダ棒２を右に回し、ホルダー１の開口部を中央のフック先端１４cに合わせ、ホルダー棒２を専用フック１４から引き抜く。ハンガー棒１３は、持ち上げながら掴み枠１０側を係合片１４aから放してピクチャーレール１８内の天板に沿って滑らせピクチャーレール１８から取外し、ハンガー棒１３を９０度回して支持片１２aをピクチャーレール１８から取外す。
【００１５】
図３は、本考案の主操作棒であるホルダー棒８の側面図である。ホルダー棒８はホルダー１の先端にホールド部２、中央にのぞき窓５を設け、ホールド部２は金属の内面に硬質ゴム３を布設し。ゴムの弾力性を利用して専用フック１４のナット１４bを回す仕組みであり、硬質ゴム３の内径は１０．５ミリメートルである。のぞき窓５はフック先端１４cの状態が目視できる。尚、のぞき窓５から下側のホルダー１下端部の構造体は、ねじ込み式で容易に分離できる構造である。
【００１６】
図４は、本考案の補助操作棒であるハンガー棒１３の斜視図である。ハンガー９の左右に支持片１２aと掴み枠１０を配置し、ハンガー棒１３の下端には錘１９を設ける。ハンガー棒１３中心からのハンガー９の間隔を掴み枠１０側を短く、支持片１２a側を長くして掴み枠１０側に重量を掛け易くしている。専用フック１４の係合片１４aと類似した支持片１２aはピクチャーレール１８に掛けて支え、掴み枠１０は既にピクチャーレール１８に治まった係合片１４aを掴んで支えるため、ハンガー棒から手を放せる状態である。
【００１７】
図５は、ホルダー棒８のホルダー１に展示品吊下げ具を挿入した実施形態を示す斜視図である。ホルダー棒８の持ち上げ操作前に展示品吊下げ具をホルダー１に挿入した処であり、専用フック１４にワイヤーロープ１６の吊り輪を掛け、ホールド部２の上から挿入する。専用フック１４のフック尖端１４cはホールド開口部６a及びホルダー開口部６bから通し、同時にワイヤーロープ１６もホールド開口部６a及びホルダー開口部６bから挿入し吊り下げておく。
【００１８】
図６は、ハンガー棒１３のハンガー９の支持片１２aをピクチャーレール１８に挿入する実施形態を示す斜視図である。係合片１４aと類似する支持片１２aを、小巾側からピクチャーレール１８の開口部に沿わせて挿入し。ハンガー棒１３を９０度回してハンガー９の掴み枠１０を挿入する。此の時点でハンガー９の支持片１２aはピクチャーレール１８に掛かる。掴み枠をピクチャーレール１８内の天板に沿って滑らせ、系止中のホルダー１に接触させて手を放すと、位置決め片１１aと位置決めバー１１bにより位置が定まり、掴み枠が専用フック１４の係合片１４aを掴んで、係合片１４aの動きを止める。
【００１９】
図７は、外径９．５ミリメートルの吊り輪１５が付いたワイヤーロープ１６を掛けた専用フック１４の構造を示す側面図と正面図である。専用フック１４の係合片１４aの小巾側が正面になり、係合片１４aの係止枠１４eがピクチャーレール１８に治まると、係合片の回り止めになる。
【００２０】
図８は、ハンガー棒１３の掴み枠１０周辺の構造を示す正面図と側面図である。掴み枠１０先端の鈎型はピクチャーレール１８内の天板の高さに制限される。
【００２１】
図９は、ハンガー棒１３の支持柱１２bの上端に設けた支持片１２aの構造を示す側面図と正面図である。支持片１２aは係合片１４aと類似しているが、支持片１２aには係止枠１４eは不要であり有しない。
【００２２】
図１０は、天井面２０に設置されたピクチャーレール１８に展示品吊下げ具を装着した側面図である。
【実施例】
【００２３】
類似のピクチャーレール１８を天井面２０に仮設し、考案した両操作棒の操作テストを実施した結果、ピクチャーレール１８から展示品吊下げ具の着脱操作は容易であった。又、利便性の高い使い方として、ホルダー棒２の操作前に、ホルダー１から吊下げたワイヤーロープ１６を５回程左に回して棒に巻き付けて於くと、専用フック１４のナット１４bの締付けの際にワイヤーロープ１６が巻き戻される利点がある。又、専用フック１４のナット１４bを締付ける際は、左手でハンガー棒１３を持って引き下げ、右手でホルダー棒８を持って５回程右に回せば、ピクチャーレール１８から展示品吊下げ具は確実に装着できた。
【００２４】
ピクチャーレール１８から展示品吊下げ具を取外す際は、先ずハンガー棒１３を持ち、吊り輪付きワイヤーロープ１６をハンガー９に掛けて取外す。次にホルダー棒８を持ち、専用フック１４の下から、専用フック１４のナット１４bにホールド部２を挿入する。フック尖端１４cはホルダー開口部６b及びホールド開口部６aを通し、専用フック１４のナット１４bを左に回して緩める。ホルダー棒を持上げ９０度左に回してピクチャーレール１８から専用フック１４を取外す。
【産業上の利用可能性】
【００２５】
ホルダー棒の、のぞき窓から下側のホルダー部は、ねじ込み構造のため容易に分離できる。専用フックの機種や形状が変っても、ホルダー上部の交換により他機種への変更が容易であり、産業上の利用性は高い。
【符号の説明】
【００２６】
１     ホルダー  
２     ホールド部
３     硬質ゴム
４     軟質ゴム
５     のぞき窓
６a    ホールド開口部
６b    ホルダー開口部 
７     色表示
８     ホルダー棒
９     ハンガー
１０   掴み枠
１１a  位置決め片
１１b  位置決めバー   
１２a  支持片
１２b  支持柱
１３   ハンガー棒
１４   専用フック
１４a  係合片
１４b  ナット
１４c  フック尖端
１４d  パッキン
１４e  係止枠
１５   吊り輪
１６   ワイヤーロープ
１７   ロックフック
１８   ピクチャーレール
１９   錘
２０   天井面
【図１】
0003231400.tif 000003
【図２】
0003231400.tif 000004
【図３】
0003231400.tif 000005
【図４】
0003231400.tif 000006
【図５】
0003231400.tif 000007
【図６】
0003231400.tif 000008
【図７】
0003231400.tif 000009
【図８】
0003231400.tif 000010
【図９】
0003231400.tif 000011
【図１０】
0003231400.tif 000012
【手続補正書】
【提出日】令和3年1月30日(2021.1.30)
【手続補正１】
【補正対象書類名】実用新案登録請求の範囲
【補正対象項目名】全文
【補正方法】変更
【補正の内容】
【実用新案登録請求の範囲】
【請求項１】
壁際の天井に設置されたピクチャーレールを吊元にして、ホルダー棒とハンガー棒を床上から操作し、ピクチャーレールから展示品吊下げ具を着脱するものであり、ホルダー棒は、予め専用フックや吊り輪付きワイヤーロープ及びロックフックからなる展示品吊下げ具を繋いだままホールド部に挿入し、ホールド部内面に布設した硬質ゴムの弾力性で、専用フックのナットを締付けてホールド部に保持し、専用フックの係合片とナットの隙間を５ミリメール程開け、フック先端を見ながら、専用フックの係合片を手で摘み１８０度右回転し係合片を摘み上げ、フック先端が上部に布設された軟質ゴムの弾力性によりフックと共に係合片の動きを止める等の準備後にホルダー棒を持ち上げ、ピクチャーレールの開口部に色表示を側面にして係合片を挿入し、ホルダー棒を９０度回し色表示を正面に戻し、ピクチャーレールに係合片の治まりを確認後、ホルダー棒をピクチャーレールに吊下げて置く等の特徴を有する展示品吊下げ具の着脱操作棒。
【請求項２】
ハンガー棒は、ピクチャーレールに専用フックを装着する際に、ハンガーの掴み枠で係合片を掴み、ホルダー棒による専用フックのナットの締付け操作を確実にするものであり、ハンガーの支持片をピクチャーレールの開口部に沿わせて小巾側から挿入し、９０度回して支持片を保持した後にハンガーの掴み枠を挿入し、掴み枠をピクチャーレール内の天板に沿って滑らせ、予めピクチャーレールに吊下げられたホルダー棒のホルダーに接触させると、位置決めバーと位置決め片により掴み枠が係合片を掴む構成であり、ハンガー棒の下端には錘を設け、ハンガー棒の中心から支持片までの間隔より掴み枠までの間隔を短くして掴み枠側に重量が掛り易く、ハンガー棒から手を放しても、ホルダー棒による専用フックのナットは締付けられるが、ハンガー棒を左手に持って引き下げ、ホルダー棒を右手に持って回せば、ナットの締付け操作は確実であり、専用フックの装着後はフック尖端をホルダー開口部に通してホルダー棒を引き抜き、ハンガー棒は掴み枠と支持片を挿入時と逆の操作でピクチャーレールから取外す等による、ホルダー棒とハンガー棒の相互の操作を特徴とする展示品吊下げ具の着脱操作棒。